(57)【要約】【課題】一体型走査光学ユニットの固定機構全体を小さくかつ簡略な構造とすることができ、固定作業の操作性も良好な画像読取装置および画像形成装置を提供する。【解決手段】装置本体側のユニットロック機構部２０は、スキャナカバー部２０２のコンタクトガラス２０３の外部領域に設けられた差し込み孔２０５、スキャナベース部２０４に設けられた位置固定貫通孔２０６、一体型走査光学ユニット３０１の上面に設けた位置固定穴２０７を有し、差し込み孔２０５および位置固定貫通孔２０６を経て位置固定穴２０７に達するまでコンタクトガラス２０３に垂直な方向への固定部材１０の差し込みを受け入れ、該差し込み方向の軸を中心とする回動を受け付けることにより、一体型走査光学ユニット３０１の走査方向、および差し込み方向への移動を規制するようになっている。【選択図】図８
2017123524.tif 000002
【特許請求の範囲】
【請求項１】
ミラー群および読取素子を有する一体型走査光学ユニットと、
前記一体型走査光学ユニットを原稿の走査方向に往復移動可能に収容するフレームと、
原稿載置面を有し、前記一体型走査光学ユニットを覆うように前記フレームに取り付けられるカバー部と、
前記カバー部と前記一体型走査光学ユニットとの間に設けられるスキャナベース部と、
ピン形状を有する固定部材と、
前記固定部材の差し込みを受け入れるユニット固定機構と、を有し、
前記ユニット固定機構は、前記カバー部の前記原稿載置面の外部領域に設けられた差し込み孔、前記スキャナベース部に設けられた貫通孔を通して、前記一体型走査光学ユニットの上面に設けられる位置固定穴に達するまで前記固定部材の前記原稿載置面に垂直な方向への差し込みを受け入れ、かつ、差し込み方向の軸を中心とする回動を受け付けることにより、前記一体型走査光学ユニットの前記走査方向、および前記差し込み方向への移動を規制することを特徴とする画像読取装置。
【請求項２】
前記固定部材は、前記ピン形状の軸方向中央部に設けられる中央ピン部と、前記中央ピン部より小径の先端ピン部と、前記中央ピン部を挟んで前記先端ピン部の反対側に配置されるつまみとが同心状に設けられるとともに、前記中央ピン部の周面に突出された一対の突出部を有し、
差し込んだ前記固定部材の前記先端ピン部が前記位置固定穴に嵌入することにより、前記一体型走査光学ユニットの前記走査方向への移動を規制し、
差し込んだ前記固定部材を前記差し込み方向の軸を中心に回動させることにより、前記一対の突出部が、前記一体型走査光学ユニットの上面と前記スキャナベース部との間に介挿されて、前記一体型走査光学ユニットの前記差し込み方向への移動を規制することを特徴とする請求項１に記載の画像読取装置。
【請求項３】
前記差し込み孔は、前記つまみを挿通させる円形の孔で形成され、
前記貫通孔は、前記中央ピン部および前記一対の突設部を、一の回転位置にあるときに通し、かつ他の回転位置にあるときには通さないように設けられており、
前記位置固定穴は、前記先端ピン部を嵌入可能な丸穴で形成されることを特徴とする請求項２に記載の画像読取装置。
【請求項４】
請求項１〜３のいずれか一項に記載の画像読取装置を備えたことを特徴とする画像形成装置。
【発明の詳細な説明】
【技術分野】
【０００１】
本発明は、一体型走査光学ユニットを採用する画像読取装置、および該画像読取装置を実装する画像形成装置に関する。
【背景技術】
【０００２】
複写機、プリンタ、ファクシミリ、あるいはこれらの複合機等の画像形成装置は、スキャナ装置を有している。スキャナ装置においては、部品コストの低減や組立性の容易さから、従来方式の作動ミラー方式から光学系一式が走行体（一体型走査光学ユニット）内に収容されている一体型モジュール方式への採用が進んでいる。一体型モジュール方式の採用は、生産性の低いローエンド機種だけでなく生産性の高いミドルからハイエンドの機種まで拡大している。
【０００３】
一般に、一体型モジュール方式では、スキャナ構造体側（フレーム側）にガイドロッド部材を配置し、走行体側に装着した軸受部品がガイドロッド部材に沿って走行する。走行体は、スキャナ構造体に対してガイドロッド部材ともう一点の高さ方向の位置出し形状を有し、走行体側の摺動部が上記位置出し形状と当接することにより、スキャナ構造体に対して走行体の姿勢が維持されている。
【０００４】
ガイドロッド部材の形状と軸受け部品の形状としては、ガイドロット部材の断面が円形、軸受部品の形状が筒状若しくはコの字状やＵの字状が一般的に採用されている。走行体の組み立てやすさを考慮すると、軸受部品の形状が軸の端部から通す必要がある筒状よりコの字状やＵの字状の方が組立易い。
【０００５】
上述した一体型モジュール方式のスキャナ装置においては、走行体について、走査方向および高さ方向（上側の方向）に対する規制がなく、輸送時での傾きや振動により、走行体が走査方向および上下方向に振動してしまい、スキャナ構造体側に接触してしまう可能性がある。
【０００６】
そこで、出荷時に走行体の動きを規制するために、スキャナ構造体に対して走行方向および上下動の動きを規制するキャリッジロック機構を設ける構造が知られている。具体的な例としては、キャリッジをスキャナベース側に寄せて、別部品によりスキャナベース部品と、キャリッジを引っ掛けることにより固定する構成が知られている（例えば、特許文献１参照）。
【０００７】
特許文献１に記載の画像読み取り装置では、第１，第２スキャナ３９，４９の固定位置に近接するハウジング５７の側壁５７ａに移動可能なロック部材（固定部材）１が設けられる。ロック部材１は、第１，第２スキャナ３９，４９を接触させることなく（離間させて）、かつ同時に固定する構成を有している（段落００２８、図１、図２参照）。
【発明の概要】
【発明が解決しようとする課題】
【０００８】
特許文献１に記載のキャリッジロック構造では、輸送時におけるキャリッジの動きを規制できるが、ハウジングの側壁部にロック機構を設けているため、外装カバー部にロック機構にアクセスするために開口を設ける必要がある（段落００２９参照）。このため、当該キャリッジロック構造を採用する画像読取装置では装置本体の構造を含めてキャリッジロックに合わせた構成が必要となる。また、引っ掛け形状で固定した場合には、ロック部の構成が大きくなり、ロック機能の配置が困難になるという問題点があった。
【０００９】
本発明は、上記課題を解決するためになされたもので、一体型走査光学ユニットの固定機構全体を小さくかつ簡略な構造とすることができ、固定作業の操作性も良好な画像読取装置および画像形成装置を提供することを目的とする。
【課題を解決するための手段】
【００１０】
本発明に係る給紙装置は、上記目的達成のため、ミラー群および読取素子を有する一体型走査光学ユニットと、前記一体型走査光学ユニットを原稿の走査方向に往復移動可能に収容するフレームと、原稿載置面を有し、前記一体型走査光学ユニットを覆うように前記フレームに取り付けられるカバー部と、前記カバー部と前記一体型走査光学ユニットとの間に設けられるスキャナベース部と、ピン形状を有する固定部材と、前記固定部材の差し込みを受け入れるユニット固定機構と、を有し、前記ユニット固定機構は、前記カバー部の前記原稿載置面の外部領域に設けられた差し込み孔、前記スキャナベース部に設けられた貫通孔を通して、前記一体型走査光学ユニットの上面に設けられる位置固定穴に達するまで前記固定部材の前記原稿載置面に垂直な方向への差し込みを受け入れ、かつ、差し込み方向の軸を中心とする回動を受け付けることにより、前記一体型走査光学ユニットの前記走査方向、および前記差し込み方向への移動を規制する構成である。
【発明の効果】
【００１１】
本発明によれば、一体型走査光学ユニットの固定機構全体を小さくかつ簡略な構造とすることができ、固定作業の操作性も良好な画像読取装置および画像形成装置を提供することができる。
【図面の簡単な説明】
【００１２】
【図１】本発明の実施形態に係る画像読取装置が適用される画像形成装置の斜視図である。
【図２】本発明の実施形態に係る画像読取装置の斜視図である。
【図３】図２に示す画像読取装置の分解斜視図である。
【図４】図２に示す一体型走査光学ユニットの縦断面図である。
【図５】本発明の実施形態に係る画像読取装置の一体型走査光学ユニットを固定する固定部材の構造を示す斜視図である。
【図６】本発明の実施形態に係る画像読取装置の一体型走査光学ユニットのユニットロック機構部近傍の構成を示す図であり、図６（ａ）は上面図であり、図６（ｂ）は図６（ａ）のＡ−Ａ線による断面図である。
【図７】図６に示す差し込み孔に対する固定部材の差し込み態様を示す図であり、図７（ａ）は上面図であり、図７（ｂ）は図７（ａ）のＢ−Ｂ線による断面図である。
【図８】図６に示す差し込み孔に差し込まれた固定部材の一体型走査光学ユニットの固定態様を示す図であり、図８（ａ）は上面図であり、図８（ｂ）は図８（ａ）のＣ−Ｃ線による断面図である。
【発明を実施するための形態】
【００１３】
次に、本発明の画像読取装置および画像形成装置に係る一実施形態について図面を参照して説明する。
【００１４】
図１に示すように、本実施の形態に係る画像形成装置１０１は、画像読取装置１０２と、画像読取装置１０２の上部に搭載した原稿搬送装置１０３と、を備えている。
【００１５】
図２、図３に示すように、画像読取装置１０２は、スキャナフレーム部２０１、スキャナカバー部２０２、コンタクトガラス２０３、一体型走査光学ユニット３０１、ガイドロッド３０２およびレール３０３を含んで構成されている。
【００１６】
スキャナフレーム部２０１は、四角枠状を有し、その内部に、一体型走査光学ユニット３０１を原稿５０１（図４参照）の走査方向に往復移動可能に収容している。なお、図３において、一体型走査光学ユニット３０１は、互いに直交する３次元軸のうち、Ｘ軸方向を走査方向として往復移動するものとする。
【００１７】
スキャナカバー部２０２は、矩形状の平面形状を有し、四角枠状のスキャナフレーム部２０１に上縁部に嵌め込まれた状態で固定されている。また、スキャナカバー部２０２は、読取対象となる原稿５０１が載置されるコンタクトガラス２０３を支持している。
【００１８】
一体型走査光学ユニット３０１は、スキャナフレーム部２０１の内側に配置され、スキャナフレーム部２０１に取り付けたガイドロッド３０２およびレール３０３に沿って図３のＸ−Ｙ平面と水平にＸ軸に沿って往復移動するよう構成されている
【００１９】
一体型走査光学ユニット３０１は、図４に示すように、点光源４０１、ミラー群４０２、鏡筒レンズ４０３、単体レンズ４０４、イメージセンサ４０５、受台４０６およびレンズユニット受台４０７を含んで構成されている。
【００２０】
点光源４０１は、ミラー群４０２とともに、筐体ユニット４００内に収容され、筐体ユニット４００の開口部からコンタクトガラス２０３に載置された原稿５０１に向けて光を照射するようになっている。ミラー群４０２は、複数のミラー４０２ａ，４０２ｂ，４０２ｃ，４０２ｄ，４０２ｅを有している。ミラー群４０２は、原稿５０１からの反射光を鏡筒レンズ４０３および単体レンズ４０４に入射させてイメージセンサ４０５に導くようになっている。
【００２１】
鏡筒レンズ４０３は、少なくとも１個のレンズを有し、レンズユニット受台４０７を介して受台４０６に固定されている。単体レンズ４０４は、鏡筒レンズ４０３に対して光入射方向下流側に位置し、ブラケット４０４ａを介してレンズユニット受台４０７に固定されている。鏡筒レンズ４０３および単体レンズ４０４は、ミラー群４０２から出射される反射光をイメージセンサ４０５に結像するようになっている。
【００２２】
イメージセンサ４０５は、本実施の形態に係る読取素子を構成する。イメージセンサ４０５は、基板４０８に実装され、位置調整用ブラケット４０９を介して受台４０６に取り付けられている。イメージセンサ４０５には、ＣＣＤイメージセンサやＣＭＯＳイメージセンサ等を用いる。
【００２３】
画像読取装置１０２において、一体型走査光学ユニット３０１は、図５に示すピン形状の固定部材１０を用いて、走査方向（図３のＸ軸方向）への移動、および走査面に直交する方向（図３のＺ軸方向に相当）への移動（上下動）が規制されるようになっている。
【００２４】
次に、固定部材１０の構成について説明する。図５に示すように、固定部材１０は、中央ピン部１１、先端ピン部１２、つまみ１３が中心軸ｃに対して同心状に設けられる。中央ピン部１１は、中心軸ｃの軸方向中央部に設けられ、所定の長さを有する円筒体により構成される。先端ピン部１２は、中央ピン部１１よりも短く、かつ小径の円筒体により構成される。
【００２５】
つまみ１３は、中央ピン部１１を挟んで先端ピン部１２の反対側に設けられ、軸部１３１、および軸部１３１に垂直な方向に支持されるハンドル部１３２を有する。さらに、固定部材１０は、中央ピン部１１の周面に円筒体の直径方向に突出され、中心軸ｃの軸方向の長さが中央ピン部１１よりも短い一対の突出部１４ａ，１４ｂを有している。
【００２６】
固定部材１０は、一体型走査光学ユニット３０１を固定するためのものである。固定部材１０は、例えば図３に示すように、スキャナカバー部２０２のコンタクトガラス２０３の外部領域に設けた差し込み孔２０５からコンタクトガラス２０３に対して垂直な方向、すなわち、図３におけるＺ軸方向に差し込み可能に構成されている。
【００２７】
差し込み孔２０５は、例えば図６（ａ）に示すように、例えば、固定部材１０のつまみ１３を挿通させることが可能な形状、具体的には、該つまみ１３のハンドル部１３２の長さよりも長い直径を有する円形の孔で形成される。
【００２８】
なお、図６に示すように、スキャナカバー部２０２は、裏面側、すなわち、一体型走査光学ユニット３０１と対向する面側に、例えばスキャナフレーム部２０１に延設されるスキャナ構造体として、スキャナベース部２０４が設けられている。
【００２９】
固定部材１０の差し込みを可能とし、かつ、差し込み後における固定部材１０の位置を保持するために、スキャナベース部２０４には、差し込み孔２０５と同心状の貫通孔２０６が設けられる。この貫通孔２０６は、図６（ａ）および（ｂ）に示すように、中央部が固定部材１０の中央ピン部１１を通すように対応した対向一対の膨らみ湾部２０６ａを有する。また、貫通孔２０６は、上記対向一対の膨らみ湾部２０６ａより両側に延在する上記中央ピン部１１の周面に突設された一対の突出部１４ａ，１４ｂを挿通させる対向一対の矩形湾部２０６ｂを有する。
【００３０】
より具体的に、貫通孔２０６は、一対の膨らみ湾部２０６ａの最大幅が、後述する固定部材１０の中央ピン部１１の径よりも少し大きく、一対の矩形湾部２０６ｂの幅が、固定部材１０の突出部１４ａ，１４ｂの幅よりも少し大きい。また、貫通孔２０６は、固定部材１０の突出部１４ａ，１４ｂ間の長さよりも長い長孔により形成されている。
【００３１】
このように、貫通孔２０６は、固定部材１０の中央ピン部１１および一対の突設部１４ａ，１４ｂを、突設部１４ａ，１４ｂ間の方向が上記長孔の長手方向と一致する一の回転位置にあるときに通し、他の回転位置にあるときには通さないように設けられている。
【００３２】
また、固定部材１０の差し込みを可能にするために、画像読取装置１０２の装置本体側において、一体型走査光学ユニット３０１の上面に取り付けられるブラケット３０５には上記差し込み孔２０５および貫通孔２０６と同心状の位置固定穴２０７が形成される。位置固定穴２０７は、固定部材１０の先端ピン部１２を嵌入、かつ回動可能に受け入れる円形の穴（丸穴）で形成される。なお、位置固定穴２０７は、ブラケット３０５に設ける構成に限らず、一体型走査光学ユニット３０１の上面該当位置に直接設ける構成としてもよい。
【００３３】
装置本体側の上記差し込み孔２０５、貫通孔２０６、位置固定穴２０７は、例えば図６（ｂ）に示すように、固定部材１０の差し込みを受け入れ、その後、回動を受け入れて一体型走査光学ユニット３０１の移動を規制するユニットロック機構部２０を構成する。
【００３４】
なお、ユニットロック機構部２０の構成要素である差し込み孔２０５、貫通孔２０６、位置固定穴２０７は、１つ（一対）でも一体型走査光学ユニット３０１の位置規制を実現できる。但し、前後で一体型走査光学ユニット３０１の動きを規制するためには、本実施の形態のように（図２、図３参照）、前後の一定間隔を隔てた２箇所に設けることが望ましい。また、上記２箇所の位置に関しても可能な限り離れた位置に配置することが望ましい。
【００３５】
次に、固定部材１０の装着手順について、図７および図８を参照して説明する。本実施の形態に係る画像読取装置１０２において、一体型走査光学ユニット３０１を固定する場合、利用者は、各ユニットロック機構部２０ごとに以下の手順で固定部材１０を装着する。
【００３６】
具体的に、利用者はまず、固定部材１０を先端ピン部１２からスキャナカバー部２０２の差し込み孔２０５より、貫通孔２０６を通り、先端ピン部１２が位置固定穴２０７に嵌入するまでコンタクトガラス２０３と直交する方向（図３のＺ軸方向）に差し込む。
【００３７】
図７は、上述した手順で固定部材１０を差し込んだ時の態様を示している。この時、固定部材１０は、図７（ａ）に示すように、突出部１４ａ，１４ｂ間の向きが貫通孔２０６の長手方向と一致する向きで差し込まれる。また、この時、固定部材１０は、図７（ｂ）に示すように、先端ピン部１２が位置固定穴２０７に回動可能に嵌入して差し込みが停止された状態にある。さらに、この時、固定部材１０は、図７（ａ）に示すように、中央ピン部１１の周面が、スキャナベース部２０４に設けた貫通孔２０６の一対の膨らみ湾部２０６ａ内に接することにより位置が保持され、かつ、回動可能な状態となっている。
【００３８】
このように、図７に示す固定部材１０の差し込み時（非ロック時）には、固定部材１０の先端ピン部１２が位置固定穴２０７に回動可能に嵌入し、中央ピン部１１の周面が貫通孔２０６の一対の膨らみ湾部２０６ａ内に回動可能に接する。これにより、一体型走査光学ユニット３０１は、上述した走査方向への移動が規制された状態に維持される。
【００３９】
この状態から、一体型走査光学ユニット３０１の上下動（図３のＺ軸方向への移動）も規制する場合、利用者は、固定部材１０のつまみ１３のハンドル部１３２を操作し、固定部材１０を、図８に示す状態まで回動させる。図８は、固定部材１０を、例えば、図７に示す状態から、９０度、時計方向に回転させた状態を示している。
【００４０】
上記状態で、固定部材１０は、図８（ａ）に示すように、突出部１４ａ，１４ｂが貫通孔２０６の幅方向の向きとなるように回動されている。この状態で、固定部材１０は、突出部１４ａ，１４ｂが、一体型走査光学ユニット３０１の位置固定穴２０７が形成されているブラケット３０５とスキャナベース部２０４との間に介挿される。これにより、一体型走査光学ユニット３０１は、上述した走査方向への移動に加えて、さらに上下動が規制された状態に維持される。
【００４１】
上述したように、本実施の形態では、一体型モジュール（一体型走査光学ユニット３０１）を固定するために、装置本体側に切り欠き形状（差し込み孔２０５）を設ける一方、上記切欠き形状から差し込む固定部材１０を別部材として用意する。別部材は、差し込み後、回動させることでスペーサとして機能する部分（本実施の形態における突設部１４ａ，１４ｂ参照）を有している。
【００４２】
上記構造によれば、スキャナカバー部２０２をはじめとする本体装置側に付加する構造は、ピン形状の別部材を通す孔等、最小限の構造で済む。また、別部材は、突出部１４ａ，１４ｂ等のようにスペーサとして機能する部分を有するため、小サイズでありながら、一体型モジュールを確実に固定できる。しかも、切り込み形状の配置上、別部材はスキャナカバー部２０２の上面の側から差し込むことができ、固定作業の操作性も良好に保つことが可能になる。
【００４３】
上述したように、本実施の形態では、ピン形状を有する固定部材１０と、画像読取装置１０２の装置本体側に設けられ、固定部材１０の差し込みを受け入れるとともに、差し込み後の回動を受け付けるユニットロック機構部２０と、を有する。ユニットロック機構部２０は、コンタクトガラス２０３の外部領域に設けられた差し込み孔２０５、スキャナベース部２０４に設けられた貫通孔２０６、一体型走査光学ユニット３０１の上面に設けられる位置固定穴２０７を有する。
【００４４】
ユニットロック機構部２０は、差し込み孔２０５、貫通孔２０６を通して位置固定穴２０７に達するまで固定部材１０のコンタクトガラス２０３に垂直な方向への差し込みを受け入れ、かつ、差し込み方向の軸を中心とする回動を受け付ける。これにより、一体型走査光学ユニット３０１は、走査方向、および固定部材１０の差し込み方向への移動を規制される。
【００４５】
この構成により、本実施の形態では、固定部材１０を別部材として用意する一方、装置本体側に差し込み孔２０５、貫通孔２０６、位置固定穴２０７を設ければよく、従来のようなフレーム側面側からアクセスするための機構等が不要となる。しかも、本実施の形態では、スキャナカバー部２０２の上面側から固定部材１０を差し込み、かつ、回動させる簡易な作業により一体型走査光学ユニット３０１を確実に固定することができる。
【００４６】
よって、本実施の形態では、装置本体側のユニットロック機構部２０を含む一体型走査光学ユニット３０１の固定機構全体を小さくかつ簡略な構造とすることができ、固定作業の操作性も良好な画像読取装置１０２および画像形成装置１０１を提供することができる。
【００４７】
また、本実施の形態において、固定部材１０は、中央ピン部１１と、中央ピン部１１より小径の先端ピン部１２と、中央ピン部１１を挟んで先端ピン部１２の反対側に配置されるつまみ１３とが同心状に設けられる。固定部材１０は、中央ピン部１１の周面に突出された一対の突出部１４ａ，１４ｂをさらに有する。
【００４８】
固定部材１０は、差し込んだ状態で先端ピン部１２が位置固定穴２０７に回動可能に嵌入することにより、一体型走査光学ユニット３０１の走査方向への移動を規制する。また、固定部材１０は、差し込み方向の軸を中心に回動させることにより、一対の突出部１４ａ，１４ｂが、一体型走査光学ユニット３０１の上面とスキャナベース部２０４との間に介挿されて、一体型走査光学ユニット３０１の差し込み方向への移動を規制する。
【００４９】
上記構成により、本実施の形態では、ピン形状の固定部材１０は、先端ピン部１２よりスキャナカバー部２０２の上面側から簡単に差し込むことができる。また、本実施の形態では、固定部材１０が中央ピン部１１と一対の突出部１４ａ，１４ｂ間に段差を形成し、かつ、つまみ１３を有するため、差し込んだ後の回転が行い易くなる。
【００５０】
また、本実施の形態では、画像読取装置１０２の装置本体側において、差し込み孔２０５は固定部材１０のつまみ１３を挿通させる円形の孔で形成される。貫通孔２０６は、固定部材１０の中央ピン部１１および突出部１４ａ，１４ｂを、一の回転位置にあるときに通し、かつ他の回転位置にあるときには通さないように設けられる。位置固定穴２０７は、固定部材１０の先端ピン部１２を回動できるように嵌入可能な丸穴で形成される。
【００５１】
この構成により、本実施の形態では、固定部材１０を中央ピン部１１および突出部１４ａ，１４ｂの向きを一の回転位置（特定の回転位置）に合わせて装置本体側に容易に差し込み可能となる。また、固定部材１０は、差し込み後に回動させることで、突出部１４ａ，１４ｂがスキャナベース部２０４に隠れてしまって差し込み孔２０５からは見えなくなる。これにより、本実施例では、突出部１４ａ，１４ｂが見えなくなることにより、固定部材１０が一体型走査光学ユニット３０１の固定状態となったことを容易に確認できる。
【００５２】
（その他の実施の形態）
本発明は、上記の実施の形態に限定されるものでなく、特許請求の範囲に記載された本発明の技術的範囲には、発明の要旨を逸脱しない範囲内で種々、設計変更した形態が含まれる。
【００５３】
例えば、本願発明では、上記実施の形態に係る固定部材１０について、中央ピン部１１、先端ピン部１２、つまみ１３の各部のサイズ、形状等を適宜変形して用いることができる。固定部材１０は、画像読取装置１０２の上面から差し込んだ後、回動させるために、その一部を一体型走査光学ユニット３０１とスキャナベース部２０４との間に介挿させるスペーサとして機能する部分を有することが重要である。
【００５４】
そのため、固定部材１０は、上記実施の形態の中央ピン部１１と突出部１４ａ，１４ｂとの関係のように、スペーサとして機能し得る段差を有する構造とすることが望ましい。上記段差は、固定部材１０をさらに回転し易くするように、角のない形状としてもよい。また、差し込み後の回動をし易くするための構造として、固定部材１０は、つまみ１３のように、一部凸形状の部分を設けた構成とすることが望ましい。
【００５５】
同様に、本発明は、上記実施の形態に係るユニットロック機構部２０について、差し込み孔２０５、貫通孔２０６、位置固定穴２０７の各部をサイズ、形状を適宜変形して適用してもよい。特に、貫通孔２０６は、固定部材１０を、一の回転位置、つまり、特定の回転位置にあるときには通し、他の回転位置にあるときには通さない形状とすることが望ましい。
【００５６】
要は、本発明は、スキャナベース部２０４の上面に切り欠き形状を設ける一方、別部材にはスペーサとして機能する引っ掛かり部を設け、該別部材を切欠き形状から差し込み、回動させて引っ掛かり部を利用して一体型モジュールを固定する構造であればよい。これにより、本発明では、スペーサとして機能する部分を有する固定用の部材を画像読取装置１０２の装置本体側に設けるものと比べて、一体型走査光学ユニット３０１の固定機構を小さくすることができる。
【００５７】
また、画像読取装置１０２においては、読取ユニット（スキャナカバー部２０２）の上側にカバー部材を有するものもある（上記実施の形態参照）。この種の構造においては、当該カバー部材に対しても差し込み孔２０５、貫通孔２０６および位置固定穴２０７に対応する位置に固定部材１０を差し込み可能にする孔形状を設ける構成とすればよい。
【００５８】
以上説明したように、本発明に係る画像読取装置１０２は、一体型走査光学ユニット３０１の固定機構全体を小さくかつ簡略な構造とすることができ、固定作業の操作性も良好であるという効果を有する。よって、本発明に係る画像読取装置１０２は、一体型走査光学ユニット３０１を用いる画像読取装置および画像形成装置全般に適用可能である。
【符号の説明】
【００５９】
１０  固定部材
１１  中央ピン部
１２  先端ピン部
１３  つまみ
１４ａ，１４ｂ  突出部（一対の突出部）
２０  ユニットロック機構部（ユニット固定機構）
１０１  画像形成装置
１０２  画像読取装置
１０３  原稿搬送装置
２０１  スキャナフレーム部（フレーム）
２０２  スキャナカバー部（カバー部）
２０３  コンタクトガラス（原稿載置面）
２０４  スキャナベース部
２０５  差し込み孔（ユニット固定機構）
２０６  貫通孔（ユニット固定機構）
２０７  位置固定穴（ユニット固定機構）
３０１  一体型走査光学ユニット
３０２  ガイドロッド
３０３  レール
３０５  ブラケット
４０２  ミラー群
４０２ａ，４０２ｂ，４０２ｃ，４０２ｄ，４０２ｅ  ミラー（ミラー群）
４０５  イメージセンサ（読取素子）
【先行技術文献】
【特許文献】
【００６０】
【特許文献１】特開２００５−２０８３９１号公報
【図１】
2017123524.tif 000003
【図２】
2017123524.tif 000004
【図３】
2017123524.tif 000005
【図４】
2017123524.tif 000006
【図５】
2017123524.tif 000007
【図６】
2017123524.tif 000008
【図７】
2017123524.tif 000009
【図８】
2017123524.tif 000010